(57)【特許請求の範囲】
【請求項１】
複数チャネルの全ての入力信号を合成することにより得られる信号を第１チャネルの信号として出力する第１のチャネル変換手段と、
複数チャネルの全ての入力信号を合成することにより得られる信号、または、一部のチャネルの入力信号を第２チャネルの信号として出力する第２のチャネル変換手段と、
各チャネルの入力信号の関係に応じて、前記第２のチャネル変換手段が出力する信号を１フレーム毎に設定するチャネル変換制御手段と、
前記第１のチャネル変換手段及び前記第２のチャネル変換手段から出力される信号を複数フレームから成るブロック毎に周波数軸上の信号に変換した上で符号化する符号化手段と、を備えた符号化装置において、
前記第２のチャネル変換手段から出力される信号を符号化する際のビットレートを、符号化するブロック内で前記第２のチャネル変換手段から出力される信号の種類が切り替わる場合には、切り替わらない場合よりも高く、符号化する各ブロック毎に設定するビットレート設定手段を備えたことを特徴とする符号化装置。
【請求項２】
前記ビットレート設定手段は、前記第２のチャネル変換手段から出力される信号を符号化する際のビットレートを、前記第２のチャネル変換手段から出力される信号の種類が最後に切り替わってから経過したフレーム数に応じて設定することを特徴とする請求項１に記載の符号化装置。
【請求項３】
前記ビットレート設定手段は、前記第２のチャネル変換手段から出力される信号を符号化する際のビットレートを、前記第２のチャネル変換手段から出力される信号の種類に応じて設定することを特徴とする請求項１または請求項２に記載の符号化装置。
【請求項４】
前記符号化手段は、前記第２のチャネル変換手段から出力される信号から先に符号化し、前記第１のチャネル変換手段から出力される信号及び前記第２のチャネル変換手段から出力される信号を符号化するために前記ビットレート設定手段が設定したビットレートのうち、前記第２のチャネル変換手段から出力される信号を符号化した後に残っているビットレートで前記第１のチャネル変換手段から出力される信号を符号化することを特徴とする請求項１〜請求項３のいずれかに記載の符号化装置。
【請求項５】
前記複数チャネルの入力信号がオーディオのステレオ信号であることを特徴とする請求項１〜請求項４のいずれかに記載の符号化装置。
【発明の詳細な説明】
【０００１】
【発明の属する技術分野】
本発明は、フレーム毎に信号の種類が切り替わる可能性がある時間軸上の信号を複数フレームから成るブロック毎に周波数軸上の信号に変換した上で符号化する符号化装置に関するものである。
【０００２】
【従来の技術】
オーディオ信号の高能率符号化の方式としては、時間軸上の信号をフレーム（所定時間単位）毎に周波数軸上の信号に変換して複数の周波数帯域に分割し、各帯域毎に符号化する変換符号化方式や、時間軸上の信号のまま複数の周波数帯域に分割し、各帯域毎に符号化する帯域分割符号化方式や、帯域分割符号化方式と変換符号化方式とを組み合わせた方式が知られている。
【０００３】
尚、帯域分割符号化方式では、直交ミラーフィルタ（Quadrature Mirror Filter）などのフィルタを用いることによって、時間軸上の信号を複数の周波数帯域に分割するようになっている。また、変換符号化方式では、離散フーリエ変換（Discrete Fourier Transform）、離散コサイン変換（Discrete Cosine Transform）、変形離散コサイン変換（Modified Discrete Cosine Transform）などを用いることによって、スペクトラム変換を行う（時間軸上の信号を周波数軸上の信号に変換する）ようになっている。
【０００４】
ここで、例えば変形離散コサイン変換を用いてスペクトラム変換を行う場合は、１フレーム内のサンプルデータの個数をＭとすると、１つ前にスペクトラム変換した２Ｍ個のサンプルデータの後半のＭ個のデータを次にスペクトラム変換を行う２Ｍ個のサンプルデータの前半のＭ個のデータとすることにより、２Ｍ個のサンプルデータ（すなわち、２フレーム分のサンプルデータ）毎にスペクトラム変換を行うようになっている。このようにすることで、符号化を行う単位ブロック間の接続歪みを低減することができる。
【０００５】
また、国際公開番号ＷＯ９８／４６０４５の公報には、例えばオーディオのステレオ信号などの、相関がある複数の信号を符号化する場合には、複数の信号間で相関を利用して、さらに高能率な符号化を実現する技術が開示されている。
【０００６】
例えばオーディオのステレオ信号を構成するＬ（左）チャネルの信号とＲ（右）チャネルの信号とを符号化する場合には、Ｌチャネルの信号とＲチャネルの信号との平均をとった信号を第１チャネルの信号とするとともに、Ｌチャネルの信号とＲチャネルの信号との差を２で割った信号、Ｌチャネルの信号、Ｒチャネルの信号のいずれかを第２チャネルの信号とし、第１チャネルの信号と第２チャネルの信号とを別個に符号化するようになっている。
【０００７】
そして、Ｌチャネルの信号とＲチャネルの信号との間に相関がある場合には、Ｌチャネルの信号とＲチャネルの信号との差を２で割った信号を第２チャネルの信号として設定し、一方、Ｌチャネルの信号とＲチャネルの信号との間に相関がない場合には、両信号のうち相対的に信号レベルが低い方を第２チャネルの信号として設定する。尚、上記３つの信号のいずれを第２チャネルの信号として設定するかは１フレーム毎に決定される。
【０００８】
これにより、第２チャネルの信号は第１チャネルの信号に比してレベルが小さくなるので、第２チャネルの信号を符号化する際のビットレートを低くして、より高能率な符号化を実現することができる。
【０００９】
【発明が解決しようとする課題】
しかしながら、上述した２つの技術、すなわち、符号化を行う単位ブロック間ので接続歪みを低減する技術、及び、相関がある複数の信号をより高能率に符号化する技術を組み合わせて用いようとすると、複数フレーム（上記例では２フレーム）を１単位として符号化を行うのに対して、１フレーム毎に信号の種類が切り替わる可能性があるため、符号化を行う単位ブロック内で信号レベルが急激に変化してしまい、その結果、信号の種類を切り替えるチャネルに割り当てられているビットレートは低いことから、量子化ノイズが増大するという問題があった。
【００１０】
そこで、本発明は、符号化を行う単位ブロック内で符号化を行う対象である信号の種類が切り替わることに起因した量子化ノイズの増大を抑制することができるようにした符号化装置を提供することを目的とする。
【００１１】
【課題を解決するための手段】
上記の目的を達成するため、本発明では、
複数チャネルの全ての入力信号を合成することにより得られる信号を第１チャネルの信号として出力する第１のチャネル変換手段と、
複数チャネルの全ての入力信号を合成することにより得られる信号、または、一部のチャネルの入力信号を第２チャネルの信号として出力する第２のチャネル変換手段と、
各チャネルの入力信号の関係に応じて、前記第２のチャネル変換手段が出力する信号を１フレーム毎に設定するチャネル変換制御手段と、
前記第１のチャネル変換手段及び前記第２のチャネル変換手段から出力される信号を複数フレームから成るブロック毎に周波数軸上の信号に変換した上で符号化する符号化手段と、を備えた符号化装置において、
前記第２のチャネル変換手段から出力される信号を符号化する際のビットレートを、符号化するブロック内で前記第２のチャネル変換手段から出力される信号の種類が切り替わる場合には、切り替わらない場合よりも高く、符号化する各ブロック毎に設定するビットレート設定手段を備えている。
【００１２】
この構成により、符号化を行う単位ブロック毎にそのブロック内で符号化する対象である信号の種類が切り替わるときには切り替わらないときよりも高いビットレートを割り当てるようにすることができる。
【００１３】
また、前記第２のチャネル変換手段から出力される信号を符号化する際のビットレートを、前記第２のチャネル変換手段から出力される信号の種類が最後に切り替わってから経過したフレーム数に応じて設定する構成にしてもよい。
【００１４】
この構成により、符号化を行う単位ブロック内で信号の種類は切り替わらないが、１つ前のフレームから信号の種類が切り替わったフレームが含まれるブロックでは高いビットレートを割り当てるようにすることができる。
【００１５】
また、前記第２のチャネル変換手段から出力される信号を符号化する際のビットレートを、前記第２のチャネル変換手段から出力される信号の種類に応じて設定する構成にしてもよい。
【００１６】
この構成により、他の種類に比べて量子化ノイズが復号した信号の劣化に大きく影響する種類の信号を符号化する際には高いビットレートを設定するようにして量子化ノイズを小さくすることができる。
【００１７】
また、前記第２のチャネル変換手段から出力される信号から先に符号化されるようになっており、前記第１のチャネル変換手段から出力される信号、及び、前記第２のチャネル変換手段から出力される信号を符号化するために予め与えられたビットレートのうち、前記第２のチャネル変換手段から出力される信号が符号化された後に残っているビットレートで前記第１のチャネル変換手段から出力される信号が符号化される構成にしてもよい。
【００１８】
この構成により、符号化を行う単位ブロック内で信号の種類が切り替わる可能性がある信号を符号化する際のビットレートを高く設定しても、実際の符号化において使用されなかったビットレートについては、他の信号を符号化する際のビットレートに割り当てられる。
【００１９】
【発明の実施の形態】
以下に、本発明の実施形態を図面を参照しながら説明する。図１は本発明の一実施形態である、オーディオのステレオ信号（Ｌ（左）チャネルの信号及びＲ（右）チャネルの信号）を符号化する対象とした符号化装置のブロック図である。当該符号化装置への入力信号であるＰＣＭ（Pulse Code Modulation）変調されたＬチャネルの信号及びＲチャネルの信号は、直交ミラーフィルタなどで構成された周波数帯域分割回路１によって複数の周波数帯域に分割された後、第１のチャネル変換回路２−１、第２のチャネル変換回路２−２、及び、制御回路５に与えられる。
【００２０】
第１のチャネル変換回路２−１は、周波数帯域分割回路１から与えられるＬチャネルの信号とＲチャネルの信号との平均をとった信号（すなわち、（Ｌチャネルの信号＋Ｒチャネルの信号）／２）を出力する。第２のチャネル変換回路２−２は、周波数帯域分割回路１から与えられるＬチャネルの信号とＲチャネルの信号との差を２で割った信号（すなわち、（Ｌチャネルの信号−Ｒチャネルの信号）／２）、Ｌチャネルの信号、Ｒチャネルの信号のいずれかを出力する。第２のチャネル変換回路２−２がいずれの信号を出力するかは、周波数帯域分割回路１から与えられるＬチャネルの信号とＲチャネルの信号との相関の有無、及び、両信号の大小関係に応じて１フレーム毎に制御回路５によって設定される。
【００２１】
具体的には、Ｌチャネルの信号、Ｒチャネルの信号がそれぞれ図２の（ａ）、（ｂ）に示すようになっており、Ｌチャネルの信号とＲチャネルの信号との間に相関がある場合には、図３の（ｂ）に示すように、（Ｌチャネルの信号−Ｒチャネルの信号）／２の信号レベルが非常に小さくなるので、（Ｌチャネルの信号−Ｒチャネルの信号）／２を出力するように設定する。
【００２２】
一方、Ｌチャネルの信号、Ｒチャネルの信号がそれぞれ図４の（ａ）、（ｂ）に示すようになっており、Ｌチャネルの信号とＲチャネルの信号との間に相関がない場合には、図５の（ｂ）に示すように、（Ｌチャネルの信号−Ｒチャネルの信号）／２の信号レベルが小さくならないため、Ｌチャネルの信号、Ｒチャネルの信号のうち相対的に信号レベルが低い方（図４の場合はＲチャネルの信号）を出力するように設定する。
【００２３】
これにより、第２のチャネル変換回路２−２からはできるだけレベルが小さな信号が出力されることになるので、第２のチャネル変換回路２−２から出力される信号を符号化する際のビットレートを低くしても、量子化ノイズはそれほど目立たなくなる。したがって、第２のチャネル変換回路２−２から出力される信号に割り当てるビットレートを低くして、より高能率な符号化を実現することができる。
【００２４】
第１の符号化回路３−１は、第１のチャネル変換回路２−１から出力される信号（以下、「Ａチャネルの信号」と言う）を、隣接する２つのフレームであるｘ番フレーム及びｘ＋１番フレームから成る符号化ブロック毎に、変形離散コサイン変換によって周波数軸上の信号に変換した上で、制御回路５によって設定されるビットレートで符号化し、これにより得られた符号をＡチャネルの信号のｘ＋１番フレームの符号として出力する。
【００２５】
第２の符号化回路３−２は、第２のチャネル変換回路２−２から出力される信号（以下、「Ｂチャネルの信号」と言う）を、隣接する２つのフレームであるｘ番フレーム及びｘ＋１番フレームから成る符号化ブロック毎に、変形離散コサイン変換によって周波数軸上の信号に変換した上で、制御回路５によって設定されるビットレートで符号化し、これにより得られた符号をＢチャネルの信号のｘ＋１番フレームの符号として出力する。
【００２６】
符号列生成回路４は、図６に示すような符号列を生成して出力する。符号列生成回路４から出力される符号列は例えば記録メディアに記録される。図６では、ＡチャネルとＢチャネルとの符号をある定められたビットレートのフレームに格納するフォーマットの例である。符号列のｘ番フレームには、Ａチャネルの信号のｘ番フレームの符号、Ｂチャネルの信号のｘ番フレームの符号、チャネル構成データの順に先頭から格納されている。チャネル構成データとは、当フレームにおけるＢチャネルの信号の種類を示すものであり、この例では、チャネル構成データが１のときは（Ｌチャネルの信号−Ｒチャネルの信号）／２、２のときはＬチャネルの信号、３のときはＲチャネルの信号であることをそれぞれ意味するものとする。
【００２７】
制御回路５は、前述したように、周波数帯域分割回路１から与えられるＬチャネルの信号とＲチャネルの信号との相関の有無、及び、両信号の大小関係に応じて第２のチャネル変換回路２−２から出力される信号の種類を設定するとともに、各部の動作を制御する。また、制御回路５は、第１の符号化回路３−１及び第２の符号化回路３−２に対して各フレームの符号化ブロック毎にビットレートを設定する。この動作について、図７に示すフローチャートを用いて説明する。
【００２８】
まず、現在のフレームにおいて、Ｂチャネルの信号のチャネル構成データが１つ前のフレームから切り替わったか否かを判定する（Ｓ１）。Ｓ１での判定の結果、チャネル構成データが切り替わっていれば（Ｓ１のＹＥＳ）、チャネル構成データが最後に切り替わってから経過したフレーム数をカウントするためのフレームカウンタの値を０にセットし（Ｓ２）、次いで、第２の符号化回路３−２に対して９６[kbps]のビットレートを設定する（すなわち、Ｂチャネルの信号を符号化する際のビットレートを９６[kbps]に設定する）とともに、第１の符号化回路３−１に対して３２[kbps]のビットレートを暫定的に設定する（すなわち、Ａチャネルの信号を符号化する際のビットレートを３２[kbps]に暫定的に設定する）（Ｓ３）。Ｓ３を終えると、後述するＳ９へ移行する。
【００２９】
一方、Ｓ１での判定の結果、チャネル構成データが切り替わっていない場合には（Ｓ１のＮＯ）、フレームカウンタの値を１だけインクリメントさせる（Ｓ４）。尚、フレームカウンタの値は所定値以上にならないように制限されている。次に、フレームカウンタの値が２より小さいか否かを判定する（Ｓ５）。Ｓ５での判定の結果、フレームカウンタの値が２より小さければ（Ｓ５のＹＥＳ）、前述したＳ３へ移行し、一方、フレームカウンタの値が２より小さくなければ（Ｓ５のＮＯ）、後述するＳ６へ移行する。
【００３０】
Ｓ６では、現在のフレームのチャネル構成データが１であるか否かを判定する。Ｓ６での判定の結果、チャネル構成データが１でれば（Ｓ６のＹＥＳ）、第２の符号化回路３−２に対して３２[kbps]のビットレートを設定するとともに、第１の符号化回路３−１に対して９６[kbps]のビットレートを暫定的に設定する（Ｓ７）。一方、チャネル構成データが１でなければ（Ｓ６のＮＯ）、第２の符号化回路３−２に対して４８[kbps]のビットレートを設定するとともに、第１の符号化回路３−１に対して８０[kbps]のビットレートを暫定的に設定する（Ｓ８）。Ｓ７及びＳ８を終えると、後述するＳ９へ移行する。
【００３１】
Ｓ９では、第２の符号化回路３−２にＢチャネルの信号の符号化を実行させる。これにより、第２の符号化回路３−２はＢチャネルの信号の１つ前のフレームと現在のフレームから成るブロックを変形離散コサイン変換によって周波数軸上の信号に変換した上で、制御回路５によって設定されたビットレートで符号化する。
【００３２】
次に、符号化の処理においては、割り当てたビットレートの全てが使用されるとは限らないので、第２の符号化回路３−２によるＢチャネルの信号の符号化が完了すると、設定したビットレートのうち実際の符号化において使用されたビットレートとの差（すなわち、余ったビットレート）を算出する（Ｓ１０）。次に、第１の符号化回路３−１に対して暫定的に設定したビットレートにＳ１０で算出したビットレートを加算して得られるビットレートを設定し直す（Ｓ１１）。
【００３３】
そして、第１の符号化回路３−１にＡチャネルの信号の符号化を実行させる（Ｓ１２）。これにより、第１の符号化回路３−１はＡチャネルの信号の１つ前のフレームと現在のフレームから成るブロックを変形離散コサイン変換によって周波数軸上の信号に変換した上で、制御回路５によって設定されたビットレートで符号化する。以上のＳ１〜Ｓ１２の処理が各フレーム毎に行われる。
【００３４】
以上の構成により、例えば、図８の（ａ）、（ｂ）にそれぞれ示すようなＬチャネルの信号、Ｒチャネルの信号が入力され、その結果、Ａチャネルの信号、Ｂチャネルの信号がそれぞれ図８の（ｃ）、（ｄ）に示すようになったとすると、Ｎ番フレームの符号化ブロックを成すＮ−１番フレーム及びＮ番フレームではＢチャネルの信号のチャネル構成データが共に１であり、Ｂチャネルの信号の種類が符号化ブロック内で切り替わらないので、Ｎ番フレームの符号化ブロックではＢチャネルの信号を符号化する際のビットレートが３２[kbps]に設定される。
【００３５】
これに対して、Ｎ＋１番フレームの符号化ブロックを成すＮ番フレーム、Ｎ＋１番フレームではＢチャネルの信号のチャネル構成データがそれぞれ１、３であり、Ｂチャネルの信号の種類が符号化ブロック内で切り替わるので、Ｎ＋１番フレームの符号化ブロックではＢチャネルの信号を符号化する際のビットレートが９６[kbps]に設定される。
【００３６】
このように、本実施形態では、そのブロック内でＢチャネルの信号の種類が切り替わる符号化ブロックでは、切り替わらないブロックよりも、Ｂチャネルの信号を符号化する際のビットレートを高く設定するので、Ｂチャネルの信号の種類が切り替わることに起因した量子化ノイズの増大を抑制することができる。
【００３７】
ここで、第２のチャネル変換回路３−２では、チャネル構成データが切り替わったとき、１つ前のフレームと切り替わったフレームとのつなぎ目で信号レベルが急激に変化するのを防止するために、１つ前のフレームの最後のサンプルデータ、及び、切り替わったフレームの先頭の数サンプルデータを両フレームが滑らかにつながるように修正する場合がある。この場合には、チャネル構成データが切り替わったフレームとその次のフレームとではチャネル構成データが同じではあるが、前者のフレームではサンプルデータの修正がなされており、低いビットレートでは量子化ノイズの増大が懸念される。
【００３８】
しかしながら、本実施形態では、図７のＳ５の処理により、チャネル構成データが最後に切り替わってから経過したフレーム数が１であるときには、言い換えれば、チャネル構成データが切り替わったフレーム、及び、その次のフレームから成る符号化ブロックでは、Ｂチャネルの信号を符号化する際のビットレートが高く設定される。したがって、上述したようにサンプルデータが修正される場合であっても、信号の種類が切り替わることに起因した量子化ノイズの増大を抑制することができる。尚、上述したようなサンプルデータの修正がなされない場合には、Ｓ５での判定しきい値を１にする、あるいは、Ｓ５を削除すればよい。
【００３９】
また、チャネル構成データが１のとき（すなわち、Ｂチャネルの信号が（Ｌチャネルの信号−Ｒチャネルの信号）／２であるとき）には、復号したＬチャネルの信号及びＲチャネルの信号の劣化度は、Ａチャネルの信号、Ｂチャネルの信号の両方の量子化ノイズで決定するのに対して、チャネル構成データが１以外のとき（すなわち、Ｂチャネルの信号がＬチャネルの信号またはＲチャネルの信号であるとき）には、復号したＬチャネルの信号またはＲチャネルの信号の劣化度は、Ｂチャネルの信号の量子化ノイズだけに依存する。このため、チャネル構成データが１であるときと１以外であるときとで同じビットレートでＢチャネルの信号を符号化すると、Ｌチャネルの信号及びＲチャネルの信号を復号した際に、Ｂチャネルの信号のチャネル構成データが１以外であった部分で劣化が目立ってしまう。
【００４０】
これに対して、本実施形態では、図７のＳ６〜Ｓ８の処理により、Ｂチャネルの信号を符号化する際のビットレートを、チャネル構成データが１以外であるときには１であるときよりも高くしているので、上述したような問題が発生するのを防止することができる。
【００４１】
また、本実施形態では、図７のＳ１０及びＳ１１の処理により、Ｂチャネルの信号を符号化する際のビットレートを高く設定したとしても、実際の符号化において使用されなかったビットレートについては、第１のチャネルの信号を符号化する際のビットレートに割り当てるので、より効率良く符号化を行うことができる。
【００４２】
尚、本発明の実施形態として、入力信号が２チャネルであり、また、符号化を行う単位ブロックが２フレームである場合のみを示したが、入力信号が３チャネル以上の場合や、符号化を行う単位ブロックが３フレーム以上である場合にも本発明を適用することが可能である。
【００４３】
【発明の効果】
以上説明したように、本発明の符号化装置によれば、符号化を行う単位ブロック毎にそのブロック内で符号化する対象である信号の種類が切り替わるか否かに応じてビットレートを設定するので、切り替わるときには切り替わらないときよりも高いビットレートを割り当てるようにして、信号の種類が切り替わることに起因した量子化ノイズの増大を抑制することができる。
【００４４】
また、信号の種類が最後に切り替わってから経過したフレーム数に応じてビットレートを設定するので、符号化を行う単位ブロック内で信号の種類は切り替わらないが、１つ前のフレームから信号の種類が切り替わったフレームが含まれるブロックでは高いビットレートを割り当てるようにして、信号の種類が切り替わったときに１つ前のフレームと滑らかにつながるようにデータを修正する場合であっても、信号の種類が切り替わることに起因した量子化ノイズの増大を防止することができる。
【００４５】
また、符号化を行う単位ブロック毎にそのブロック内の符号化する対象である信号の種類に応じてビットレートを設定するので、他の種類に比べて量子化ノイズが復号した信号の劣化に大きく影響する種類の信号を符号化する際には高いビットレートを設定するようにして量子化ノイズを小さくすれば、復号した信号の劣化が部分的に目立ってしまうという問題が発生するのを防止することができる。
【００４６】
また、符号化を行う単位ブロック内で信号の種類が切り替わる可能性がある信号を符号化する際のビットレートを高く設定しても、実際の符号化において使用されなかったビットレートについては、他の信号を符号化する際のビットレートに割り当てるので、より効率良く符号化を行うことができる。
【図面の簡単な説明】
【図１】  本発明の一実施形態である符号化装置のブロック図である。
【図２】  Ｌチャネルの信号及びＲチャネルの信号の波形の一例を示す図である。
【図３】  Ｌチャネルの信号及びＲチャネルの信号の波形が図２に示すものであるときに対応する（Ｌチャネルの信号＋Ｒチャネルの信号）／２及び（Ｌチャネルの信号−Ｒチャネルの信号）／２の波形を示す図である。
【図４】  Ｌチャネルの信号及びＲチャネルの信号の波形の別例を示す図である。
【図５】  Ｌチャネルの信号及びＲチャネルの信号の波形が図４に示すものであるときに対応する（Ｌチャネルの信号＋Ｒチャネルの信号）／２及び（Ｌチャネルの信号−Ｒチャネルの信号）／２の波形を示す図である。
【図６】  符号列生成回路が生成する符号列について説明するための図である。
【図７】  符号化ブロック毎にビットレートを設定する処理のフローチャートである。
【図８】  Ｌチャネルの信号及びＲチャネルの信号の波形、並びに、これに対応するＡチャネルの信号及びＢチャネルの信号の波形の一例を示す図である。
【符号の説明】
１    周波数帯域分割回路
２−１    第１のチャネル変換回路
２−２    第２のチャネル変換回路
３−１    第１の符号化回路
３−２    第２の符号化回路
４    符号列生成回路
５    制御回路
【図１】
0003690591.tif 000002
【図２】
0003690591.tif 000003
【図３】
0003690591.tif 000004
【図４】
0003690591.tif 000005
【図５】
0003690591.tif 000006
【図６】
0003690591.tif 000007
【図７】
0003690591.tif 000008
【図８】
0003690591.tif 000009